(57)【要約】【課題】  従来、椅子の傾動機構には、ねじりコイルばねやロッキング機構が採用されることが多い。しかし、バネを使用するため、長期間の使用によって反発力の低下を招く虞があること、故障の原因になること等の問題があった。【解決手段】  背支柱と機枠を連結する連結部と、連結部に枢支された枢軸と、枢軸と連結部を通じて連結されている機枠の一方に設けた可動軸と、可動軸と機枠を通じて連結される機枠の他方に設けた連動軸と、連動軸と当接する環状弾性体で構成され、背支柱への押圧力によって背支柱が傾動し、傾動に従って背支柱と連結された可動軸の動きにより、連動軸が当接した環状弾性体を押圧し、背支柱の押圧力の開放によって、環状弾性体の反発力で背支柱の傾動を回復可能とする椅子であり、椅子の傾き過ぎの防止可能、傾動状態からの背もたれの復帰が容易、耐久力があり長期間の使用が可能であり、故障の原因となりにくい等の特徴がある。【選択図】          図２
2005245946.tif 000002
【特許請求の範囲】
【請求項１】
背支柱と機枠を連結する連結部と、この連結部に枢支された枢軸と、この枢軸と連結部を通じて連結されている前記機枠の一方に設けた可動軸と、この可動軸と機枠を通じて連結される前記機枠の他方に設けた連動軸と、この連動軸と当接する環状弾性体とでなる椅子であって、
背支柱に押圧力が加わることによって背支柱が傾動し、その傾動に従って、連結部を通じて背支柱と連結された可動軸の動きによって、機枠を通じて可動軸と連結された連動軸が当接した環状弾性体を押圧し、背支柱の押圧力の開放によって、環状弾性体の反発力により、背支柱の傾動を回復可能とすることを特徴とする椅子。
【請求項２】
前記環状弾性体が楕円状であることを特徴とする請求項１に記載の椅子。
【発明の詳細な説明】
【技術分野】
【０００１】
本発明は環状弾性体を装填した椅子に関するものである。
【背景技術】
【０００２】
従来より、椅子には、ねじりコイルばねを用いたものがある。傾動装置において、背支柱が傾動可能になっているものとしては、背支柱が脚支柱上の固定枠体に回動可能に取り付けられるとともに、この背支柱がねじりコイルばねにより復元力が付与されているものがある。このような傾動装置においては、背支柱に連繋された作用部材が、背支柱の傾動に伴ってねじりコイルばねの腕に作用して、ばねの反発力を得るようになっている。そして、このねじりコイルばねの反発力により、荷重に応じた傾動が得られるようになっている。
【０００３】
また、背もたれを着座者の姿勢に応じて傾動可能に支持するロッキング機構が採用されることも多い。このロッキング機構は、脚部の上端に取り付けられるメインフレームと、メインフレームに対し揺動可能に取り付けられる背もたれの背もたれ支持部材と、背もたれ支持部材とメインフレームとの間に介在される反発力発生機構とを少なくとも備え、反発力発生機構によって背もたれの動きに反発力を与えて着座者が寄りかかったときに背もたれが勢い良く傾かないようにすると共に、背もたれが基本姿勢に復帰するようにしている。
【０００４】
前記のようなねじりコイルばねを採用した椅子としては、特開平７−２８９３８３号「椅子の傾動装置」がある（文献１とする）。この発明は、脚支柱の固定枠体（機枠）に背支柱を傾動可能に支持した椅子において、ねじりコイルばねの他の腕（基端）を固定枠体にスライド可能に設けるとともに、この他の腕を固定枠体に設けたねじりコイルばねに介在物（作用部材）を介して連繋する構成であり、座支持枠の沈み込みに対応して、背支柱を傾動する構成である。
【０００５】
また、文献２は、実用新案登録第３０６３５７８号「パチンコ用の椅子」であり、本考案は、パチンコ用の支柱に設けた機枠と、機枠に設けた座支持枠と、座支持枠に設けた背支柱と、背支柱の基端に固定した機枠に設けた枢軸本体と、枢軸本体と同調する可動軸と、可動軸が当接される機枠に設けたバネ本体で構成し、可動軸の押圧でバネ本体を圧縮し、可動軸の押圧解除でバネ本体が復帰する。機枠に設けたバネ本体の押圧方向と、背支柱の基端の可動方向との整合が図れる。この整合で、バネ本体の確実な圧縮・復帰を図りつつ、座支持枠の動き及び背支柱のスムーズな傾動を図ることができる。
【０００６】
【特許文献１】特開平７−２８９３８３号
【特許文献２】実用新案登録第３０６３５７８号
【発明の開示】
【発明が解決しようとする課題】
【０００７】
文献１の傾動機構は、背支柱から二股状の連結金具に連繋し、この連結金具はスライド移動する規制ピンに連繋する。そして、この規制ピンの移動を確保するために、当該規制ピンは固定枠体の長孔に装着される構成である。従って、この傾動機構は、複雑となること、及び製造に時間を要すること、等の課題がある。また、規制ピンがスライド移動する構成であるので、ねじりコイルの円運動による動きと、規制ピンのスライドによる動きとがそれぞれ異なり、この双方の動きに一体性がないこと、従って、故障の原因となること等の課題が考えられる。
【０００８】
また、文献２は、機枠と、機枠に設けた座支持枠と、座支持枠に設けた背支柱と、背支柱に固定した枢軸本体と、枢軸本体と同調する可動軸と、可動軸が当接される機枠に設けたバネ本体で構成されており、座支持枠の動き及び背支柱のスムーズな傾動が可能であるが、バネを使用するため、長期間の使用によって反発力の低下を招く虞があること、等の問題があった。
【課題を解決するための手段】
【０００９】
請求項１の発明は、環状弾性体の使用により反発力を高めること、耐久力があり長期間の使用が可能であること、従って、故障の原因となりにくいこと等の特徴がある。
【００１０】
請求項１は、背支柱と機枠を連結する連結部と、この連結部に枢支された枢軸と、この枢軸と連結部を通じて連結されている前記機枠の一方に設けた可動軸と、この可動軸と機枠を通じて連結される前記機枠の他方に設けた連動軸と、この連動軸と当接する環状弾性体とでなる椅子であって、
背支柱に押圧力が加わることによって背支柱が傾動し、その傾動に従って、連結部を通じて背支柱と連結された可動軸の動きによって、機枠を通じて可動軸と連結された連動軸が当接した環状弾性体を押圧し、背支柱の押圧力の開放によって、環状弾性体の反発力により、背支柱の傾動を回復可能とすることを特徴とする椅子である。
【００１１】
請求項２の発明は、傾動角度の微調整が可能であること、等の特徴がある。
【００１２】
請求項２は、環状弾性体が楕円状であることを特徴とする椅子である。
【発明の効果】
【００１３】
請求項１の発明は、背支柱と機枠を連結する連結部と、連結部に枢支された枢軸と、枢軸と連結部を通じて連結されている機枠の一方に設けた可動軸と、可動軸と機枠を通じて連結される機枠の他方に設けた連動軸と、連動軸と当接する環状弾性体とでなる椅子であって、背支柱に押圧力が加わることによって背支柱が傾動し、その傾動に従って、連結部を通じて背支柱と連結された可動軸の動きによって、機枠を通じて可動軸と連結された連動軸が当接した環状弾性体を押圧し、背支柱の押圧力の開放によって、環状弾性体の反発力により、背支柱の傾動を回復可能とすることを特徴とする椅子である。
【００１４】
従って、反発力の高い環状弾性体の使用により、椅子の傾き過ぎを防止できること、また、高い反発力により、傾動状態からの背もたれの復帰が容易となること、復帰が容易となることによって、後方を人が通過する際にも邪魔にならず、安全な通行が可能となること、耐久力があり長期間の使用が可能であること、従って、故障の原因となりにくいこと等の効果がある。
【００１５】
請求項２の発明は、環状弾性体が楕円状であることを特徴とする椅子である。
【００１６】
従って、楕円状であるため、押力がかかった際に形状の変化が少ないため、傾動角度の微調整が可能であること、等の効果がある。
【発明を実施するための最良の形態】
【００１７】
本発明は、図１〜図８よりなり、図１は本発明の椅子全体を表す斜視図であり、図２は、本発明の椅子の断面図である。図３は、本発明の椅子の主要部を表す平面図であり、図４は、本発明の椅子の主要部の他の実施例を表した平面図である。また、図５は、本発明の主要部のカバー１０を取った平面図であり、図６は押力のかかる前の状態を表す一部欠截の側面図、図７は押力のかかった後の状態を表す一部欠截の側面図である。図８（イ）は本発明の主要部を表す拡大側面図で、環状弾性体１１圧縮前の状態を表しており、図８（ロ）は本発明の主要部を表す拡大側面図で、環状弾性体１１圧縮後の状態を表している。
【００１８】
図１は本発明の椅子本体１を表し、椅子本体１は背もたれ２、シート３、支柱４で構成されており、支柱４は床面に固定されている。
【００１９】
図２は、本発明の椅子の断面図であり、背もたれ２内には背支柱９が埋設されており、背支柱９は、枢軸５及び可動軸６を連結し、機枠１２と背支柱９を連結する連結部８によって連結されている。枢軸５及び可動軸６は連結部８を貫通している。支柱４と基礎枠１３が連結され、基礎枠１３とカバー１０が連結され、カバー１０に枢軸５が枢支されている。背支柱９は人間が着座し、背もたれ２にもたれた時等により、斜めに傾動する。シート３の内部には機枠１２が埋設されており、機枠１２は可動軸６及び連動軸７と連結されており、連動軸７には環状弾性体１１が当接されている。背支柱９は機枠１２に対して略垂直になっている。また、背支柱９と枢軸５及び可動軸６を連結している連結部８は機枠１２に対して、やや斜め上方に連結しており、機枠１２と連結している可動軸６と背支柱９を連結している。
【００２０】
図３は、本願発明の主要部を表す平面図であり、カバー１０により枢軸５、可動軸６、連動軸７は覆われており、環状弾性体１１と連動軸７が当接する箇所もカバー１０により覆われている。図４は本願発明の主要部の他の一例を表す平面図であり、他の形状（楕円状）の環状弾性体１１が載置されている。なお、環状弾性体１１は円状、楕円状に限定されず、方形状、その他の形状でもよい。
【００２１】
図５は、本願発明のボルトによって取り付けられたカバー１０を取り外した状態を表す主要部の平面図であり、機枠１２には可動軸６及び連動軸７が貫通しており、連動軸７のある面は連動軸７と環状弾性体１１が当接している。また、環状弾性体１１は四方を環状弾性体枠１１１で囲繞されており、図５のように連動軸７と当接していない左右面は、環状弾性体枠１１１に当接している。また連動軸７と当接している反対側の面は環状弾性体枠１１１を貫通するボルトが環状弾性体１１と当接している。このボルトによって、環状弾性体１１の反発力を調整することが可能である。なお、連動軸７は環状弾性体枠１１１も貫通している。なお、環状弾性体１１と連動軸７、環状弾性体枠１１１及びボルトの当接する位置については限定されない。また、図５では環状弾性体１１は一面がボルトによって当接されているが、環状弾性体枠１１１と当接することも可能である。
【００２２】
図６は、押力のかかる前の状態を表す一部欠截の側面図、図７は押力のかかった後の状態を表す一部欠截の側面図である。可動軸６を連結している機枠１２には、背支柱９に押力がかかった際に、可動軸６が上下動可能なように、隙間Ｈを有する孔１２０がカバー１０に開設されている。機枠１２に連結する可動軸６の、機枠１２の中心部より略線対称となる位置に連動軸７があり、連動軸７は環状弾性体１１と当接している。なお、連動軸７は環状弾性体枠１１１を貫通して機枠１２に連結されており、機枠１２には、背支柱９に押力がかかった際に、連結軸７が左右動可能なように、隙間Ｈを有する孔１２１が開設されている。
【００２３】
ここで、図６及び図７に基づいて、背支柱９に押力がかかった時の動きについて説明する。まず、人間が着座し、背もたれ２にもたれると、背もたれ２に押力がかかり、背もたれ２及び背もたれ２に埋設された背支柱９が傾動する（図６上部の矢印参照）。背支柱９の傾動により、枢軸５を軸として背支柱９と連結された連結部８の角度がやや地面に対して水平に近づくと（図６右下部の矢印参照）、連結部８に連結され、カバー１０を貫通する可動軸６を通じて、カバー１０が下方に沈み込む。なお、支柱４が基礎枠１３と連結されており、基礎枠１３はカバー１０と連結されており、そのカバー１０と枢軸５が枢支されている。また、枢軸５は、背もたれ２と連結部８と可動軸６を介して機枠１２を連繋し、固定されている。
【００２４】
カバー１０が下方に沈み込むことによって、可動軸６がカバー１０に設けられた隙間Ｈを有する孔１２０の上部に移動する。また、カバー１０の下方への沈み込みによって、機枠１２を貫通し連結した連動軸７が、機枠１２に設けられた隙間Ｈを有する孔１２１の右部に移動する。連動軸７は環状弾性体１１に当接しており、カバー１０の沈み込みで可動軸６が上方へ移動し、次いで連動軸７が右に移動することによって、連動軸７は環状弾性体１１を押圧するため、環状弾性体枠１１１に囲まれた環状弾性体１１は圧縮され、やや楕円形状となる。しかし、環状弾性体１１は環状弾性体枠１１１に囲まれているため、楕円形状から円形状に戻ろうとする反発力が働くため、連動軸７を元の位置に押し返す力が働く。
【００２５】
従って、着座中に背支柱９が傾動中の際には、環状弾性体１１が押圧によりやや楕円状になるが、背支柱９の押力が減少すること（背もたれ２に人間のもたれる力が減少し押圧力から開放されること）に比例して、環状弾性体１１の反発力により、元に戻ろうとする力が働く。背支柱９の押力が減少することに比例して、環状弾性体１１の反発力により、連動軸７が元の位置に戻り（孔１２１の左側に連動軸７が移動する）、また、可動軸６がカバー１０に開孔された孔１２０の下部へと戻る（つまり、カバー１０が上方へ移動する）。カバー１０が上方へ浮き上がる（元に戻る）ことによって、背支柱９と連結された連結部８の角度も元に戻ることによって、背支柱９は元の位置である略垂直の位置に戻る。前記のようにして、傾動した背もたれ２が元の位置に復帰する。傾動した背もたれ２が元の位置に復帰することによって、後方に人が通った際に邪魔にならない。また、環状弾性体１１の反発力によって、一定の角度までしか傾動しないため、傾きが大きくなり過ぎることも無く、後方に倒れることもなく、従来のバネのものと比べ、背もたれ２の急激な傾動や、シート３（カバー１０）の急激な沈み込みも緩和され、緩やかに傾動及び沈み込みが行われる。また、環状弾性体１１を採用しているので、バネなどの使用に比べて、耐久性があり、壊れる心配も無い。なお、材質は鉄、アルミニウム、樹脂、プラスチック等特に限定されず、一定の強度があれば問題ない。
【図面の簡単な説明】
【００２６】
【図１】本発明の椅子全体を表す斜視図である。
【図２】本発明の椅子の断面図である。
【図３】本発明の椅子の主要部を表す平面図である。
【図４】本発明の椅子の主要部の別の実施例を表した平面図である。
【図５】本発明の主要部のカバーを取った平面図である。
【図６】押力のかかる前の状態を表す一部欠截の側面図である。
【図７】押力のかかった後の状態を表す一部欠截の側面図である。
【図８】（イ）図６の主要部を表した拡大側面図である。（ロ）図７の主要部を表した拡大側面図である。
【符号の説明】
【００２７】
１      椅子本体
２      背もたれ
３      シート
４      支柱
５      枢軸
６      可動軸
７      連動軸
８      連結部
９      背支柱
１０    カバー
１１    環状弾性体
１１１  環状弾性体枠
１２    機枠
１２０  孔
１２１  孔
１３    基礎枠
Ｈ      隙間
【図１】
2005245946.tif 000003
【図２】
2005245946.tif 000004
【図３】
2005245946.tif 000005
【図４】
2005245946.tif 000006
【図５】
2005245946.tif 000007
【図６】
2005245946.tif 000008
【図７】
2005245946.tif 000009
【図８】
2005245946.tif 000010